(57)【要約】【課題】既知の実施形態の不具合の是正を可能にすること。【解決手段】多軸式マシニングセンターが、垂直又は横方向に移動できる工作物保持スピンドル（2）を備えており、且つ長手方向に移動可能な工作物保持往復台（4）を備えている加工部（1）を備えている。工作物保持スピンドル（8）を備えたフレーム（14）が回転するように工作物保持往復台（14）に取付けられる。
2005516788.tif 000002
【特許請求の範囲】
【請求項１】
垂直及び横方向に移動でき且つその上を工作物保持往復台（4）が長手方向に移動できるように、工作物保持スピンドル（2）が、その中に取付けられている機械加工部（1）を備えており、工作物保持スピンドル（8）を備えたフレーム（14）が、回転するように工作物保持往復台（4）に取付けられていることを特徴とする多軸式マシニングセンター。
【請求項２】
案内メガネ（9）が、移動可能にフレーム（14）に取付けられていることを特徴とする、請求項1に記載のマシニングセンター。
【請求項３】
止めセンター（17）が、移動可能にフレーム（14）に取付けられていることを特徴とする、請求項1に記載のマシニングセンター。
【発明の詳細な説明】
【技術分野】
【０００１】
本発明は多軸式及びより特定的には工作物保持スピンドルを備えたマシニングセンターに関する。
【背景技術】
【０００２】
種々のマシニングセンターの開発以前には、機械的部品加工は、大きな必要空間を要し且つ多数の介入回数、またよって多くの操作時間をも必要とする種々の別々の機械上での移動を必要とした。
【０００３】
マシニングセンターの開発は、垂直と横方向の2本の直線軸沿いに移動する工作物保持スピンドル、及び長手方向軸と垂直回転軸沿いに移動する工作物保持往復台との機能により、最大数の操作を一台の機械上に集中することを可能にした。
【０００４】
近代的な機械上では、種々の移動は計算機で制御され、連続的な操作に必要な種々の工具は工具保持スピンドルに自動的に着脱される。
【０００５】
既知の実施形態は、例えば、円筒形や円錐形の部品を加工するある種のケースで同じマシニングセンターではすべての操作を行なうことができず、そのため他の機械への移動を要し、また大きな作業を要する不便があり、従って操作時間を増加するのみならずより広い作業面積を要することによる不具合を抱えている。
【発明の開示】
【課題を解決するための手段】
【０００６】
本発明の目的は既知の実施形態の不具合の是正を可能にする。
【０００７】
この目的は、請求項1に明確に記載されている発明の原理によって達成される。
【０００８】
本発明の原理に基づくマシニングセンターは、垂直軸上及び横断軸上に移動可能な工具保持スピンドル、長手軸上及び垂直回転軸上に移動可能な工作物保持往復台を備えており、発明の原理の基本的な長所は工作物保持スピンドルが工作物保持往復台に水平に取付けられるので、その他の操作の上に円筒形、円錐形、又はその他の形の回転操作を可能にすることにある。この場合、切削工具は工作物保持スピンドル内に固定されているため、回転できるのは工作物保持スピンドルである。
【０００９】
種々の移動はすべて同時に計算機で制御され、こうして同じマシニングセンター上で非常に複雑な部品を実現することを可能にし、これにより作業時間上の利得、及びその上多くの場合に付属機械を不要にして設備投資の低減をも可能にする。
【発明を実施するための最良の形態】
【００１０】
まず、第1図を参照して、マシニングセンターの機械加工部１はスライド12上を垂直軸沿いにまたスライド13上を水平軸沿いに移動することのできる工作物保持スピンドル2を備えている。工具3は工具保持スピンドル3に取付けられる。工作物保持往復台4はスライド13上を長手軸沿いに移動することができる。例として、工作物保持往復台はモータ5により駆動される。
【００１１】
工作物保持スピンドル8は工作物保持往復台に取付けられたディスク6に取付けられる。例えば、円筒形の部品7は工作物保持スピンドルに取付けられる。長いまた又は変形しやすい部品の場合、それを特定部分で支持するため案内メガネ9を取付けることができる。部品の先端を支持するため止めセンタを取付けることもできる。メガネと止めセンタの装着装置10は、部品の長さによって回転中の案内メガネの移動及び止めセンタの調節ができるように可動部分を備えたフレーム14に取付けられる案内メガネと止めセンタの着脱を可能にする。
【００１２】
装着アーム18は工作物保持往復台に取付けられる。
【００１３】
第2図は、スピンドル8に取付けられた部品7を示す。
【００１４】
支持装置16は止めセンタの組込みのためまた支持装置15は案内メガネの組込みのために備えられる。
【００１５】
フレーム14は工作物保持往復台上に取付けられたディスク上に取付けられる。
【００１６】
第2図は、案内メガネや止めセンタの使用を必要としないほど充分硬い部品の場合を示す。
【００１７】
第3図は、部品7をスピンドル8にまたは案内メガネ9をその支持装置15に取付けた状態を示す。
【００１８】
案内メガネはフレーム上を移動可能である。
【００１９】
第3図は、加工部品が止めセンタを追加で使用しなければならないほどには変形可能ではない中間ケースを示す。
【００２０】
第4図は、スピンドル8に取付けられた部品７を示し、この部品は案内メガネ9によりまた機械要素16に取付けられた止めセンタ17により支持されている。
【００２１】
実際には、発明の原理は2本のスピンドルを別々に使用することを可能にする。例えば、旋削用に固定工具を工具保持スピンドルに取付けておいて工作物保持スピンドルを回すことができ、あるいは例えば、中ぐりやフライス削り用に工具保持スピンドルを回して、工作物保持スピンドルを固定するか又は順繰りに希望する角度で回すことができる。
【００２２】
工作物保持スピンドルは、既存の4軸との組合せで、MMEセンターが多数の加工操作をすることを可能にし、また様々な形状の部品を入手することを可能にする。
【００２３】
第1図〜第4図によれば、重要な要素は工作物保持スピンドルが工具保持スピンドルに連動して回転でき、よって非常に特殊な形状の部品の加工を容易に可能にすることである。
【００２４】
種々の付属要素は発明の原理に依存せず、例えば、種々のモータや種々の駆動手段を使用することができる。
【図面の簡単な説明】
【００２５】
【図１】マシニングセンターの機械加工部の全体的透視図である。
【図２】工作物保持スピンドルの透視図である。
【図３】メガネ付きの工作物保持スピンドルの透視図である。
【図４】メガネと止りセンタ付きの工作物保持スピンドルの透視図である。
【符号の説明】
【００２６】
1  機械加工部
2, 3, 8  工作物保持スピンドル
4  工作物保持往復台
5  モータ
6  ディスク
7  円筒形の部品
9  案内メガネ
10  メガネと止めセンタの装着装置
12, 13  スライド
14  フレーム
15  支持装置
16  機械要素
17  止めセンタ
【図１】
2005516788.tif 000003
【図２】
2005516788.tif 000004
【図３】
2005516788.tif 000005
【図４】
2005516788.tif 000006
【国際調査報告】
2005516788.tif 000007
2005516788.tif 000008
2005516788.tif 000009
2005516788.tif 000010